(57)【要約】      （修正有）【課題】組立後の塗料焼き付け工程で発生する余分な焼き付け塗料層による弾性片の詰まり問題を解消できる、スライドファスナー用スライダーのキャップ構造を提供する。【解決手段】凹状の収容空間が形成された平面を有するキャップと、前記収容空間に設置され、両端に開口がそれぞれ設けられ、端面の中間部位の両側に凹状開口部がそれぞれ設けられる弾性片と、を含むスライドファスナー用スライダーのキャップ構造である。前記収容空間の底部の両端には当接部がそれぞれ設けられ、二つの該当接部の間には凹部が形成され、該凹部の表面は前記二つの当接部の表面よりも低く、前記キャップの縦方向の両側は側壁をそれぞれ有し、二つの前記側壁の中間部位には前記収容空間と連通する連通口をそれぞれ有し、二つの前記開口は開放状態で前記弾性片に形成される。【選択図】図３
0003183917.tif 000002
【実用新案登録請求の範囲】
【請求項１】
凹状の収容空間が形成された平面を有するキャップと、前記収容空間に設置され、両端に開口がそれぞれ設けられ、端面の中間部位の両側に凹状開口部がそれぞれ設けられる弾性片と、を含み、
前記収容空間の底部の両端には当接部がそれぞれ設けられ、二つの前記当接部の間には凹部が形成され、前記凹部の表面は前記二つの当接部の表面よりも低く、前記キャップの縦方向の両側は側壁をそれぞれ有し、二つの前記側壁の中間部位には前記収容空間と連通する連通口をそれぞれ有し、二つの前記開口は、開放状態で前記弾性片に形成されていることを特徴とするスライドファスナー用スライダーのキャップ構造。
【請求項２】
前記二つの開口は、対向する方向で前記弾性片の両端を貫通することを特徴とする、請求項１に記載のスライドファスナー用スライダーのキャップ構造。
【請求項３】
前記弾性片の側面がＶ字形を呈し、前記弾性片の端面の中間部位における前記凹状開口部の二つの頂角がカーブ状を呈することを特徴とする、請求項１に記載のスライドファスナー用スライダーのキャップ構造。
【請求項４】
前記二つの側壁には係止部がそれぞれ設けられ、二つの該係止部は前記連通口の近傍に設けられ、対向する前記二つの側壁から前記収容空間に向かって曲折形成され、前記弾性片が前記二つの係止部に当接されることを特徴とする、請求項１に記載のスライドファスナー用スライダーのキャップ構造。
【請求項５】
前記二つの係止部が、斜対向で配置されることを特徴とする請求項４に記載のスライドファスナー用スライダーのキャップ構造。
【考案の詳細な説明】
【技術分野】
【０００１】
本考案は、キャップ構造に関するものであり、特にキャップの内部に弾性部材が設けられると共にスライドファスナー用スライダーに取付けられるキャップ構造に関するものである。
【背景技術】
【０００２】
従来のスライドファスナー用スライダーは、スライダー胴体、引手、弾性片及びキャップを含む。スライドファスナー用スライダーは、スライドファスナーに係合される。スライダー胴体の内部にはフック部が設けられる。スライダー胴体に設けられる引手が引っ張られると、引手によってスライダー胴体のフック部を引きずることで、スライドファスナー用スライダーをスライドファスナーに自在に移動させることができる。一方、引手が引っ張られていない場合、弾性片の弾性力でフック部をロック位置に押し戻すことによってスライドファスナーを固定するため、スライダー胴体を抜け止めすることができる。
【０００３】
従来のスライドファスナー用スライダー（図示せず）は、組立後の塗料焼き付け工程において、焼き付け塗料をスライドファスナー用スライダーに焼き付けると、図１に示すように、キャップ１ａの内部には厚さが厚すぎる焼き付け塗料層１０１ａが形成されるため、スライドファスナー用スライダーの内部に余分の焼き付け塗料層１０１ａで塞がれるという問題が生じる。更に、弾性片２０１ａで焼き付け塗料層１０１ａをカバーした後、弾性片２０１ａの幅が増加するため、キャップ１ａが掛かって動かない状態となる。この場合、引手によってスライダー胴体を引きずるためには、より力を込める必要がある。
【０００４】
スライドファスナー用スライダーに対して塗料焼き付け加工を行ったことによって生じた、スライドファスナー用スライダーの内部が余分の焼き付け塗料層１０１ａで塞がれるという問題を改善するために、従来の改善策として、キャップ１ａの外観を変更する方法がある。具体的に言えば、余分の焼き付け塗料層１０１ａを収容することができるように、キャップ１ａの両側の壁を外に向けて弧状に曲折することによって、キャップ１ａの内部に、より大きい収容空間を形成する。しかしながら、こうすると、キャップ１ａの構造強度に影響を与えるため、製造の際にキャップ１ａが彎曲変形してしまう恐れがあった。
【０００５】
そこで、本考案の出願人は、上記の問題点を改善するために、鋭意検討を行った結果、合理的な設計で且つ上記の問題点を有効に改善する本考案を完成するに至った。
【考案の概要】
【考案が解決しようとする課題】
【０００６】
本考案の主な目的は、組立後のスライドファスナー用スライダーにおける余分の焼き付け塗料層による弾性片の詰まり問題を解消できる、スライドファスナー用スライダーのキャップ構造を提供することにある。
【０００７】
本考案のほかの目的は、弾性片の弾性を最適な状態にすることによってスライドファスナー用スライダーを、小さな力でスムーズに移動させることができるスライドファスナー用スライダーのキャップ構造を提供することにある。
【課題を解決するための手段】
【０００８】
本考案は、凹状の収容空間が形成された平面を有するキャップと、前記収容空間に設置され、両端に開口がそれぞれ設けられ、端面の中間部位の両側に凹状開口部がそれぞれ設けられる弾性片と、を含み、前記収容空間の底部の両端には当接部がそれぞれ設けられ、二つの前記当接部の間には凹部が形成され、前記凹部の表面は前記二つの当接部の表面よりも低く、前記キャップの縦方向の両側は側壁をそれぞれ有し、二つの前記側壁の中間部位には前記収容空間と連通する連通口をそれぞれ有し、二つの前記開口は開放状態で前記弾性片に形成されることを特徴とするスライドファスナー用スライダーのキャップ構造を提供する。
【考案の効果】
【０００９】
本考案に係るスライドファスナー用スライダーのキャップ構造によれば、下記の効果を奏することができる。キャップと弾性片を組合部材として組み立て、組み立てられた組合部材をスライドファスナー用スライダーに組み立てることによって、複雑な組立工程を簡潔化させることができる。また、弾性片の二つの開口により弾性片の剛性を最適な状態に調整することができるため、スライドファスナー用スライダーを移動させることによってスライドファスナーのロック状態を、小さな力でスムーズに解除することができる。また、弾性片の二つの凹状開口部により、余分の焼き付け塗料層によるスライドファスナー用スライダーのキャップの、収容空間の詰まり問題を解消できると共にスライドファスナー用スライダーの抵抗力増加の問題点を解消できる。
【図面の簡単な説明】
【００１０】
【図１】塗料焼き付け加工が行われた、従来技術のスライドファスナー用スライのダーのキャップ構造の下面図を示すものである。
【図２】本考案に係るスライドファスナー用スライダーのキャップ構造の立体模式図を示すものである。
【図３】本考案に係るスライドファスナー用スライダーのキャップ構造の立体分解図を示すものである。
【図４】本考案に係るスライドファスナー用スライダーのキャップ構造の断面模式図を示すものである。
【図５】図４の弾性片の、変形状態の模式図を示すものである。
【図６】塗料焼き付け加工が行われた本考案に係るスライドファスナー用スライダーの、キャップ構造の下面図を示すものである。
【考案を実施するための形態】
【００１１】
以下に示す、本明細書と図面に開示された本考案の実施形態は、本考案の技術内容をより分かりやすく説明し、本考案の理解を助けるために実施例を挙げたものに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１２】
図２及び図３に示すように、本考案に係るスライドファスナー用スライダーのキャップ構造は、キャップ１及び弾性片２を含む。キャップ１は平面１１を有する。平面１１には凹状の収容空間１２が形成される。収容空間１２の底部の両端には当接部１３がそれぞれ設けられる。二つの当接部１３の間には凹部１４が形成される。凹部１４の表面は二つの当接部１３の表面よりも低い。キャップ１の縦方向の両側は側壁１５をそれぞれ有する。二つの側壁１５の中間部位には収容空間１２と連通する連通口１６がそれぞれ設けられる。
【００１３】
弾性片２は収容空間１２の内部に設置される。弾性片２の両端には開口２１がそれぞれ設けられる。弾性片２の端面における対向する両側には凹状開口部２２がそれぞれ設けられる。二つの開口２１は、対向する方向で弾性片２の両端の一部を貫通する。これにより、二つの開口２１は、開放状態で弾性片２に設けられる。また、開口２１の開放方向については特に制限がない。本実施例において、二つの開口２１は、弾性片２の縦長方向に沿って弾性片２の外側に連通する。
【００１４】
二つの側壁１５には係止部１７がそれぞれ設けられる。係止部１７は連通口１６の近傍に設けられる。二つの係止部１７は、対向する側壁１５から収容空間１２に向かって斜対向配置で曲折形成される。弾性片２は二つの係止部１７に当接される。スライドファスナー用スライダーが引っ張られる時、係止部１７は、弾性片２のキャップ１からの脱出を阻止することができる。
【００１５】
図３及び図４に示すように、弾性片２は収容空間１２の内部に設置される。弾性片２の両端はキャップ１の当接部１３に当接される。弾性片２の中間部位の凹状開口部２２の二つの頂角はカーブ状を呈する。また、弾性片２は、Ｖ字形に曲折されることによって弾性片２の頂面にカーブ部が形成される。弾性片２のカーブ部２３はスライダー胴体のフック部（図示せず）に当接される。
【００１６】
図３及び図５に示すように、スライドファスナー用スライダーを移動させる時、フック部がアンクランプされて弾性片２のカーブ部２３に当接され、これにより、カーブ部２３がキャップ１の凹状開口部１４に向かって変形することによって、収容空間１２において所定の距離だけ押圧される。スライドファスナー用スライダーを組み立てる場合、先ず、弾性片２をキャップ１に組み立てることによって一つの組合部材となる。続いて、引手（図示せず）を二つの側壁１５の連通口１６に設置する。最後に、組合部材をスライダー胴体に組み立てる。
【００１７】
図５及び図６に示すように、スライドファスナー用スライダーの組立が完成した後、塗料焼き付け工程を行う必要がある。スライドファスナー用スライダーに対して塗料焼き付け工程を行うことによって、スライドファスナー用スライダーの表面及び収容空間１２には焼き付け塗料層１０１が形成される。収容空間１２に覆われる焼き付け塗料層１０１のうちの、余分の焼き付け塗料層１０１は、弾性片２の二つの凹状開口部２２により収容空間１２に有効に制限される。これにより、余分の焼き付け塗料層１０１によって弾性片２がキャップ１の収容空間１１に掛かって復帰できないという問題点を解消することができる。
【００１８】
また、弾性片２の開口２１は開放状態を呈するため、弾性片２の剛性を低減させることができるため、弾性片２を最適な弾性に調整することができる。本考案の改良後の弾性片２によれば、最小限の力でフック部を引きずることによって、フック部をアンクランプさせスライドファスナー用スライダーを移動させることができる。二つの開口２１は、対向する方向で弾性片２の両端を貫通してもよいが、貫通方向については特に制限がない。また、二つの開口２１は、加工屑を排出する機能を有する。
【００１９】
本考案に係るスライドファスナー用スライダーのキャップ構造によれば、下記の効果を奏することができる。
(1)  弾性片２に、開放状態を呈する二つの開口２１が設けたことによって、弾性片２の剛性を低減させることができる。また、キャップ１の凹状開口部１４により、収容空間１２における弾性片２の変形空間を増加することができる。これにより、本考案の改良後の弾性片２をスライドファスナー用スライダーに組み立てることによって、最小限の力でスライドファスナー用スライダーを移動させることができる。
(2)  弾性片２の二つの凹状開口部２２により、余分の焼き付け塗料層による、塗料焼き付け工程が行われたスライドファスナー用スライダーのキャップの収容空間の詰まり問題を解消できると共に、スライドファスナー用スライダーの抵抗力増加の問題点を最小限に抑えることができる。これにより、余分の焼き付け塗料層によるキャップの収容空間１２の詰まり問題を解消できるため、不良品による製造コストの損失を大幅に低減でき、これによって、コストの低減及び品質の向上などの効果を奏することができる。
【００２０】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２１】
１  キャップ                
１ａ  キャップ      
２  弾性片
１１  平面          
１２  収容空間
１３  当接部                
１４  凹部          
１５  側壁
１６  連通口                
１７  係止部        
２１  開口                  
２２  凹状開口部    
２３  カーブ部
１０１  焼き付け塗料層      
１０１ａ  焼き付け塗料層
２０１ａ  弾性片    
【図１】
0003183917.tif 000003
【図２】
0003183917.tif 000004
【図３】
0003183917.tif 000005
【図４】
0003183917.tif 000006
【図５】
0003183917.tif 000007
【図６】
0003183917.tif 000008